(57)【要約】【課題】猫用トイレシートまたは猫用トイレ砂を用いることなくペットボトルを用いて面倒な猫用トイレシートまたは猫用トイレ砂の交換がなく経済的な効果があるペットボトルを用いた猫用トイレを提供する。【解決手段】ペットボトルを用いた猫用トイレ１００は、メッシュ状の第１のプレート１０と第１のプレート１０の下方に設けられた第２のプレート２０を有している。排尿用貫通孔３０は、第１の脚２０ａと第２の脚２０ｂの略中央に形成されている。ペットボトル４０の雄ネジ４０ａが、排尿用貫通孔３０に嵌め込まれるように雌ネジ３０ａが設けられており、排尿用貫通孔３０に流れ込んだ猫の尿Ｎが、漏れることなくペットボトル４０に溜め込まれる。第２のプレート２０は、第１のプレート１０に放尿された猫の尿Ｎが、排尿用貫通孔３０からペットボトル４０に溜め込まれるように傾斜が設けられている。【選択図】図１
0003217657.tif 000002
【実用新案登録請求の範囲】
【請求項１】
メッシュ状のプレートからなる第１のプレートと、前記第１のプレートと着脱自在になるように、前記第１のプレートの下方に設けられた第２のプレートを有するペットボトルを用いた猫用トイレであって、
前記第２のプレートは、４隅から下方に設けられた第１の脚と第２の脚と第３の脚と第４の脚を有し、前記第１の脚と前記第２の脚と前記第３の脚と前記第４の脚の間に、排尿用貫通孔が形成され、
前記排尿用貫通孔は、ペットボトルの雄ネジが、嵌め込まれるように雌ネジが設けられていることを特徴とするペットボトルを用いた猫用トイレ。
【請求項２】
前記ペットボトルが、前記排尿用貫通孔に嵌め込まれた状態で、
前記第１のプレートに放尿された尿が、前記第２のプレートを介して前記排尿用貫通孔から前記ペットボトルに溜め込まれるように形成されていることを特徴とする請求項１に記載のペットボトルを用いた猫用トイレ。
【請求項３】
前記第２のプレートは、前記第１のプレートに放尿された尿が、前記排尿用貫通孔から前記ペットボトルに溜め込まれるように傾斜が設けられていることを特徴とする請求項２に記載のペットボトルを用いた猫用トイレ。
【考案の詳細な説明】
【技術分野】
【０００１】
本考案は、ペットボトルを用いた猫用トイレに関する。
【背景技術】
【０００２】
猫、犬などの愛玩動物の室内での飼育が盛んになっており、猫の排泄物、特に尿の処理を行うための猫用トイレが普及している。
【考案の概要】
【考案が解決しようとする課題】
【０００３】
上記の猫用トイレは、尿を吸収する猫用トイレシートまたは猫用トイレ砂を用いており、このような猫用トイレシートまたは猫用トイレ砂は、頻繁に交換する必要があり、作業面、経済面で問題があった。本考案は、こうした点に鑑みてなされたものであり、猫用トイレシートまたは猫用トイレ砂を用いることなくペットボトルを用いて面倒な猫用トイレシートまたは猫用トイレ砂の交換がなく経済的な効果があるペットボトルを用いた猫用トイレを提供するものである。
【課題を解決するための手段】
【０００４】
上記課題を解決するために、本考案に係るペットボトルを用いた猫用トイレは、メッシュ状のプレートからなる第１のプレートと、前記第１のプレートと着脱自在になるように、前記第１のプレートの下方に設けられた第２のプレートを有するペットボトルを用いた猫用トイレであって、前記第２のプレートは、４隅から下方に設けられた第１の脚と第２の脚と第３の脚と第４の脚を有し、前記第１の脚と前記第２の脚と前記第３の脚と前記第４の脚の間に、排尿用貫通孔が形成され、前記排尿用貫通孔は、ペットボトルの雄ネジが、嵌め込まれるように雌ネジが設けられていることを特徴とする。
【０００５】
本考案に係るペットボトルを用いた猫用トイレの態様について、前記ペットボトルが、前記排尿用貫通孔にはめ込まれた状態で、前記第１プレートに放尿された尿が、前記第２のプレートを介して前記排尿用貫通孔から前記ペットボトルに溜め込まれるように形成されていることを特徴とする。
【０００６】
本考案に係るペットボトルを用いた猫用トイレの態様について、前記第２のプレートは、前記第１プレートに放尿された尿が、前記排尿用貫通孔から前記ペットボトルに溜め込まれるように傾斜が設けられていることを特徴とする。
【考案の効果】
【０００７】
本考案によれば、猫用トイレシートまたは猫用トイレ砂を用いることなくペットボトルを用いて面倒な猫用トイレシートまたは猫用トイレ砂の交換がなく経済的な効果があるペットボトルを用いた猫用トイレを提供することができる。また、本考案のペットボトルを用いた猫用トイレは、ペットボトルを猫の尿を溜めるものとして用いていることより、猫の排尿の量を計測することができ、さらに猫の尿の色を観察することができることより、猫の健康状態を管理することができる。
【図面の簡単な説明】
【０００８】
【図１】実施形態のペットボトルを用いた猫用トイレの一例を示す模式図である。
【考案を実施するための形態】
【０００９】
以下、本考案のペットボトルを用いた猫用トイレの実施形態を、図１を用いて説明する。図１（ａ）は、ペットボトルを用いた猫用トイレ１００の第１のプレート１０と第２のプレート２０を示す模式図であり、図１（ｂ）は、排尿用貫通孔３０とペットボトル４０の嵌め込む状態を示す模式図である。
【００１０】
ペットボトルを用いた猫用トイレ１００は、メッシュ状のプレートからなる第１のプレート１０と、第１のプレート１０と着脱自在になるように、第１のプレート１０の下方に設けられた第２のプレート２０を有している。この例において、第１のプレート１０は、第２のプレート２０に対して、上から被せるようにして一体的になるように構成されているが、これは一例であり限定されるものではない。
【００１１】
第２のプレート２０は、４隅から下方に設けられた第１の脚２０ａと第２の脚２０ｂと第３の脚２０ｃと第４の脚２０ｄを有している。この例において、排尿用貫通孔３０は、第１の脚２０ａと第２の脚２０ｂの略中央に形成されている。このような位置に設けられている排尿用貫通孔３０は、後述のとおり、猫が放尿した猫の尿Ｎが流れ込むような位置に設けられている。なお、排尿用貫通孔３０の位置は、一例でありこれに限定されず、猫の尿Ｎが流れ込む位置であればよく、第１の脚２０ａと第２の脚２０ｂと第３の脚２０ｃと第４の脚２０ｄの間であればよく、適宜最適な位置に設ければよい。
【００１２】
排尿用貫通孔３０、ペットボトル４０の雄ネジ４０ａが、嵌め込まれるように雌ネジ３０ａが設けられている。このように排尿用貫通孔３０は、ペットボトル４０の雄ネジ４０ａが、嵌め込まれ密着し係合するように形成されていることにより、排尿用貫通穴３０に流れ込んだ猫の尿Ｎが、漏れることなく確実に、ペットボトル４０に溜め込まれることになる。
【００１３】
すなわち、ペットボトル４０が、排尿用貫通孔３０にはめ込まれた状態で、第１のプレート１０に放尿された猫の尿Ｎが、第２のプレート２０を介して排尿用貫通孔３０に流れ込みペットボトルに溜め込まれることになる。
【００１４】
また、第２のプレート２０は、第１のプレート１０に放尿された猫の尿Ｎが、排尿用貫通孔３０からペットボトル４０に溜め込まれるように傾斜が設けられている。このような傾斜が設けられていることにより、第２のプレート２０の表面の残尿を軽減することができ，臭いも軽減することができる。なお、上記の傾斜は、排尿用貫通孔３０の位置が、低くなるように形成されればよいが、これに限定されるものではなく、適宜最適な位置になるように構成されればよい。また、図１（ａ）に示す第２のプレート２０の傾斜は一例であり、これに限定されるものではなく、例えば、第２のプレート２０は、傾斜を有する２つの矩形のプレートで構成されていてもよい。
【００１５】
上記のとおり、ペットボトルを用いた猫用トイレ１００は、猫用トイレシートまたは猫用トイレ砂を用いる必要がなく、各種形状の一般的なペットボトルを用いて猫の尿Ｎを溜め込むことができるものであり、面倒な猫用トイレシートまたは猫用トイレ砂の交換の必要もなく、猫用トイレシートまたは猫用トイレ砂の費用が削減できるという顕著な経済的な効果がある。また、本考案のペットボトルを用いた猫用トイレ１００は、透明なペットボトル４０を用いることより、猫の尿Ｎの量を計測することができ、猫の尿Ｎの色を観察することができる。猫の病気の発生も少ないとはいえず、愛猫家にとって猫の健康状態を把握することは重要であり、本考案のペットボトルを用いた猫用トイレ１００は、経済面のみならず愛猫の健康管理も行うことができるという優れたものである。
【００１６】
以上、本考案の有する特徴及び優れた点を上記実施形態に記載したが、本考案は、本願の実用新案登録請求の範囲で使用されている言葉を広く一般的な意味に拡張して実施することができる。
【００１７】
また、本考案のペットボトルを用いた猫用トイレは、大きさや形状、素材の種類、厚さ、重さなどについては多様な実施形態が可能であり、それらについて本実施形態と異なる形態による実施は、本考案の技術的範囲に含まれる。
【符号の説明】
【００１８】
１００    ペットボトルを用いた猫用トイレ
１０      第１のプレート
２０      第２のプレート
２０ａ    第１の脚
２０ｂ    第２の脚
２０ｃ    第３の脚
２０ｄ    第４の脚
３０      排尿用貫通孔
３０ａ    雌ネジ
４０      ペットボトル
４０ａ    雄ネジ
Ｎ        猫の尿
【図１】
0003217657.tif 000003